(57)【特許請求の範囲】
【請求項１】
被分級物を風力で分級するための風力分級機であって、
所定の回転数で回転させる筒状の分級部を設け、
該分級部の内部の軸方向に、該分級部を回転させることにより下部から上部に向けて被分級物を掻き上げる複数の掻き上げ板を設けるとともに、該被分級物中の軽い被分級物を吸込む吸込部を有する吸込管を設け、
該吸込管の上側に、前記掻き上げ板で掻き上げた被分級物が落下した時に衝突する衝突板を設け、
該衝突板と前記吸込管との間に、前記被分級物中の軽い被分級物を吸込管に吸込む吸込口を形成し、
前記吸込管の吸込部の上部の軸方向に、前記吸込口から吸込む軽い被分級物を該吸込部に吸込む吸込溝を設けた風力分級機。
【請求項２】
前記吸込管を前記分級部の軸方向のほぼ全長に設け、該吸込管と前記衝突板との間に設ける吸込口を該吸込管のほぼ全長に設けた請求項１に記載の風力分級機。
【請求項３】
前記衝突板に、掻き上げ板で掻き上げて落下した被分級物が衝突する傾斜面を形成し、該傾斜面の下端と吸込管との間に前記軽い被分級物を吸込管に吸込むノズル状の吸込口を形成した請求項１に記載の風力分級機。
【請求項４】
前記分級部の被分級物投入側に筒状の回転する乾燥部を設け、該乾燥部に、被分級物に乾燥エヤーを供給する乾燥エヤー供給部を設けた請求項１〜３のいずれか１項に記載の風力分級機。
【請求項５】
前記乾燥エヤー供給部に、前記乾燥部の軸方向に開口するスリット状開口部と、該スリット状開口部の開口を保った状態で内径側の反回転方向に重なるオーバーラップ部とを設けた請求項４に記載の風力分級機。
【請求項６】
前記乾燥部で被分級物の軸方向送りが遅くなるように該乾燥部の下面をほぼ水平に形成し、前記分級部で被分級物の軸方向送りが早くなるように該分級部の下面を排出側に向けて下向きに傾斜するように形成した請求項４に記載の風力分級機機。
【請求項７】
前記被分級物の種類に応じて分級部の回転数を制御する制御装置を設けた請求項１〜６のいずれか１項に記載の風力分級機。
【発明の詳細な説明】
【技術分野】
【０００１】
本発明は、建築廃材のように、可燃物等の軽い被分級物（この明細書及び特許請求の範囲の書類中では「軽量物」ともいう。）と不燃物等の重い被分級物（この明細書及び特許請求の範囲の書類中では「重量物」ともいう。）とが混合された被分級物から、軽量物と重量物とを分離する風力選別機に関する。
【背景技術】
【０００２】
従来より、建築廃材等は、破砕機によって２０ｍｍ以下程度に一次破砕され、紙やナイロン等の可燃物は焼却処分されて、土や石等の不燃物は、通常、埋立場の埋立てに使用されている。例えば、道路を掘削した土は埋め戻しができないため、前記したように破砕されて、不燃物は埋立場の埋立てに使用されている。
【０００３】
しかし、このような被分級物には、前記したような可燃物と不燃物とが混ざっているため、これらを分級してから埋立場の埋立てに使用しなければならない。
【０００４】
この種の従来技術として、例えば、円筒状の回転ドラム中央部付近に輸送管で破砕物（被分級物）を供給するとともに、この輸送管の破砕物供給側から空気流を噴き込むことにより、破砕物中の比較的軽い可燃物を輸送管の開口から遠方に飛ばし、比較的重い不燃物は輸送管の開口近くに落下させ、この回転ドラム内で掻き上げて破砕するようにして、重量物と軽量物とを分離しようとするものがある（例えば、特許文献１参照。）。
【０００５】
また、他の従来技術として、投入側から排出側に向けて上向きに傾斜させた円筒体の投入側から廃棄物（被分級物）を供給し、この円筒体内で掻き上げながら移送することにより重量物と中間重量物と軽量物とを分級するとともに、円筒体内を下方端部から上方端部流れる空気流によって紙等をブロワで排出するようにしたものもある（例えば、特許文献２参照。）。
【特許文献１】特開平６−２３３２５号公報（第２−３頁、図１）
【特許文献２】特開平４−３２２７７６号公報（第２−３頁、図１）
【発明の開示】
【発明が解決しようとする課題】
【０００６】
しかしながら、前記特許文献１，２の場合、いずれも円筒内で被処理物を掻き上げて落下させることによる破砕を繰り返しながら、円筒体の軸方向に分級エヤーを吸気又は給気することにより、エヤーの流れを作り、そのエヤーの流れにより軽量物を排出側に移動させて排出するような構成であるため、円筒体の軸方向に移動する軽量物は、分離された後で、新たに投入されて円筒体内で回転する被処理物と再度混合され、また、新たに投入された被処理物と衝突して再度混合されることを繰り返すので、分級効率が非常に悪くなってしまう。つまり、一度分離した軽量物が再度被処理物と混合されるので、同じ軽量物を何度も分級することとなり、分級効率が非常に悪くなる。
【０００７】
また、これらの特許文献１，２において被処理物を乾燥させようとすると、前記分級エヤーに乾燥エヤーを兼ねさせることとなるため、大量の乾燥エヤーが必要になるとともに、乾燥時間が分級時間と同一となるため、十分な乾燥が難しい。
【０００８】
さらに、近年、建築廃材のリサイクルも図られており、例えば道路を掘削した土を埋立地の埋立て用に使用するのではなく、他に再利用したいという要望もある。
【０００９】
そこで、本発明は、可燃物と不燃物とのような比重の異なる物が混合された被分級物を、効率良く風力分級できるようにした風力分級機を提供することを目的とする。
【課題を解決するための手段】
【００１０】
前記目的を達成するために、本発明は、被分級物を風力で分級するための風力分級機であって、所定の回転数で回転させる筒状の分級部を設け、該分級部の内部の軸方向に、該分級部を回転させることにより下部から上部に向けて被分級物を掻き上げる複数の掻き上げ板を設けるとともに、該被分級物中の軽い被分級物を吸込む吸込部を有する吸込管を設け、該吸込管の上側に、前記掻き上げ板で掻き上げた被分級物が落下した時に衝突する衝突板を設け、該衝突板と前記吸込管との間に、前記被分級物中の軽い被分級物を吸込管に吸込む吸込口を形成し、前記吸込管の吸込部の上部の軸方向に、前記吸込口から吸込む軽い被分級物を該吸込部に吸込む吸込溝を設けている。このような構成によれば、分級部の回転によって掻き上げられて落下する被分級物は、落下時に衝突板に衝突して解砕されて軽い被分級物は吸込管から排出されるので、分級部で分離された軽い被分級物を他の被分級物と別々に移動することができ、分離した軽い被分級物を再度被分級物に混合させることなく、効率良く被分級物を分級することができる。この解砕とは、可燃物等の軽量物と不燃物等の重量物とが固まった被分級物を、砕いてそれぞれが別々になるように解することをいう。
【００１１】
また、前記吸込管を前記分級部の軸方向のほぼ全長に設け、該吸込管と前記衝突板との間に設ける吸込口を該吸込管のほぼ全長に設ければ、分級部の上流側から下流側にかけて軽い被分級物を順次排出してより精度よく分級することができる。
【００１２】
さらに、前記衝突板に、掻き上げ板で掻き上げて落下した被分級物が衝突する傾斜面を形成し、該傾斜面の下端と吸込管との間に前記軽い被分級物を吸込管に吸込むノズル状の吸込口を形成すれば、傾斜面に衝突して解砕された被分級物中の軽量い被分級物をノズル状の吸込口から迅速に分離することができる。
【００１３】
また、前記分級部の被分級物投入側に筒状の回転する乾燥部を設け、該乾燥部に、被分級物に乾燥エヤーを供給する乾燥エヤー供給部を設ければ、湿潤の被分級物であっても乾燥部で乾燥させて分級部で分級するようにできる。
【００１４】
さらに、前記乾燥エヤー供給部に、前記乾燥部の軸方向に開口するスリット状開口部と、該スリット状開口部の開口を保った状態で内径側の反回転方向に重なるオーバーラップ部とを設ければ、回転する乾燥部の内側で回転する被分級物が開口部から落ちることがないように回転させて、スリット状開口部から供給する乾燥エヤーを被分級物と十分に接触させて乾燥させることができる。
【００１５】
また、前記乾燥部で被分級物の軸方向送りが遅くなるように該乾燥部の下面をほぼ水平に形成し、前記分級部で被分級物の軸方向送りが早くなるように該分級部の下面を排出側に向けて下向きに傾斜するようにすれば、湿潤した被分級物であっても十分に乾燥させて効率良く分級することができる。
【００１６】
その上、前記被分級物の種類に応じて分級部の回転数を制御する制御装置を設ければ、被分級物に応じて、掻き上げた被分級物が落下して衝突板に衝突した時に解砕し易い回転数にすることが容易にできる。
【発明の効果】
【００１７】
本発明は、以上説明したような手段により、建築廃材等のように重量物と軽量物とが混合された被分級物から軽量物を分離し、分離した軽量物を再度被分級物に混合させることなく被分級物の分級を効率良く行うことが可能となる。
【発明を実施するための最良の形態】
【００１８】
以下、本発明の一実施形態を図面に基づいて説明する。図１は、本発明の第１実施の形態を示す風力分級機を縦断面した側面図であり、図２は、この風力分級機のII−II断面図、図３は、この風力分級機のIII−III断面図、図４は、この風力分級機の吸込管の内部構造例を示す側面図である。以下の実施の形態における被分級物としては、例えば、建築廃材を２０ｍｍ以下程度に一次破砕したもの等であり、この被分級物中に混合されている紙やナイロン等の可燃物の軽量物と、土や石等の不燃物の重量物とを分級する例を説明する。
【００１９】
図１に示すように、第１実施の形態の風力分級機１は、被分級物Ｍの投入側（図示する右側）に円筒状に形成された乾燥部たる乾燥筒状体２が設けられ、排出側（図示する左側）に投入側から排出側に向けて拡径するテーパ状に形成された分級部たる分級筒状体３が設けられている。これら乾燥筒状体２と分級筒状体３とは、フランジ４で連結されて一体的な筒状体５に形成されている。この乾燥筒状体２の部分を乾燥部６、分級筒状体３の部分を分級部７ともいう。
【００２０】
この一体的に形成された筒状体５は、乾燥筒状体２の外周に設けられたリング部８と、分級筒状体３の外周に設けられたリング部８とが、架台９に設けられた支持ローラ１０によって回転自在に支持されている。この筒状体５は、この例では、支持ローラ１０を回転駆動する駆動モータ（図示省略）により、所定回転数で回転させられる。この駆動モータは制御装置（図示省略）によって制御されている。制御装置は、被分級物Ｍに応じて予め設定された回転数、又は被分級物Ｍに応じて作業者が設定した回転数で駆動モータを制御するように構成されている。なお、筒状体５の駆動は他の構成であってもよい。
【００２１】
前記乾燥筒状体２の投入側中心部には、被分級物Ｍを投入する投入シュート１３の先端が位置しており。この投入シュート１３は、架台９に設けられたシュート支持材１４に支持されている。投入シュート１３には、コンベヤ１５から被分級物Ｍが投入されるように構成されている。
【００２２】
この乾燥筒状体２の投入側には、この乾燥筒状体２に乾燥エヤーを供給するエヤー供給部１１が設けられている。このエヤー供給部１１には、乾燥筒状体２の投入側を囲うようにカバー１１ａが設けられており、このカバー１１ａと回転する筒状体５との間はシール材１２でシールされている。このカバー１１ａ内には、図示しない乾燥エヤー供給機から熱風等の乾燥エヤーＡが供給される。
【００２３】
図１，２に示すように、乾燥筒状体２は、図２において左回転で回転させられる。そして、この実施の形態では、乾燥筒状体２の中心部に、軸方向に開口するスリット状開口部２ａと、このスリット状開口部２ａの内径側で反回転方向に重なるオーバーラップ部２ｂとを備えた乾燥筒２ｃが設けられている。このような乾燥筒２ｃにより、回転する乾燥筒状体２の内側に供給される被分級物Ｍはオーバーラップ部２ｂによってスリット状開口部２ａから落ちることなく回転移動し、乾燥エヤーＡは開いているスリット状開口部２ａから乾燥筒状体２の内部に供給されて、回転移動する被分級物Ｍと十分に接触して被分級物Ｍを乾燥させることができる。前記エヤー供給部１１には、この乾燥筒２ｃと前記カバー１１ａとが含まれる。
【００２４】
このような乾燥部６によれば、乾燥筒状体２の内部で被分級物Ｍを回転させながらこの乾燥筒状体２の内部に乾燥エヤーＡを供給するので、湿潤した被分級物Ｍであっても効果的に乾燥させることができる。また、この実施の形態では乾燥筒状体２を同径の筒状体としているので、この乾燥筒状体２の内部で回転させられる被分級物Ｍの滞留時間を長くして、乾燥効果を高くしている。
【００２５】
さらに、前記分級筒状体３の内面には、軸方向に複数の掻き上げ板１６が設けられている。この掻き上げ版１６は、分級筒状体３の内部に供給された被分級物Ｍを所定高さまで掻き上げて自重により落下させるものである。この掻き上げ板１６によって掻き上げられた被分級物Ｍは、落下した衝撃で破砕される。
【００２６】
また、この実施の形態では、分級筒状体３を投入側から排出側に向けて拡径する筒状体とすることにより、この分級筒状体３の傾斜によって、内部で掻き上げられて分級される被分級物Ｍを投入側から排出側に向けて順次移動させることができるようにしている。
【００２７】
そして、図１，３に示すように、この分級筒状体３の軸方向には、この分級筒状体３の内部で掻き上げられて落下する被分級物Ｍを衝突させる衝突板１７と、この衝突板１７に衝突させて解砕した被分級物Ｍ中の軽量物を吸引する吸込管１８とが設けられている。
【００２８】
この吸込管１８は、架台９側に支持された円筒の管本体１８ａと、この管本体１８ａから分級筒状体３の軸方向に延びる吸込部１８ｂとから構成されている。管本体１８ａには、サイクロン１９と捕集器２０とブロワ２１とが接続されており、ブロワ２１によって吸引されている。
【００２９】
一方、前記吸込部１８ｂには、上部の軸方向に吸込溝１８ｃが設けられている。また、吸込部１８ｂの上部には衝突板１７が設けられている。この衝突板１７は、図３に示すように、吸込部１８ｂに固定されて垂直方向に延びる垂直面１７ａと、この垂直面１７ａの上端から所定角度で下向きに傾斜する傾斜面１７ｂとで形成されている。傾斜面１７ｂは、分級筒状体３の回転によって掻き上げられた被分級物Ｍが落下する時に衝突する斜面で形成されている。この実施の形態では、分級筒状体３が図３において右回転して被分級物Ｍが左側から掻き上げられるので、吸込部１８ｂの右側から垂直方向に垂直面１７ａが形成され、その上端から左側下方に向けて傾斜面１７ｂが形成されている、この傾斜面１７ｂは、分級筒状体３の中心線を挟むように吸込部１８ａの上方に設けられており、傾斜面１７ｂの下端と吸込部１８ｂとの間には、所定の隙間２２が形成されている。この隙間２２は、被分級物Ｍ中の軽量物ＭＬを、吸込部１８ｂの軸方向に設けられた吸込溝１８ｃに吸込むことができるようなノズル状の吸込口（以下、２２を付す。）として形成されている。
【００３０】
すなわち、分級筒状体３の掻き上げ板１６で掻き上げられた被分級物Ｍは、上部から自重で落下し、衝突板１７に衝突して解砕され、被分級物Ｍ中の軽量物ＭＬは吸込管１８の吸込口２２から吸込まれ、重量物ＭＨは分級筒状体３の下方へ落下するように構成されている。衝突板１７の傾斜面１７ｂとしては、被分級物Ｍが衝突したときに解砕されやすい角度であり、解砕後の軽量物ＭＬを吸込口２２に案内するような角度に設定されている。分級筒状体３の回転数としては、自重落下する被分級物Ｍが衝突板１７の傾斜面１７ｂに衝突するのに好ましい回転数で回転させられる。この分級筒状体３を回転させる所定の回転数としては、被分級物Ｍの性状に応じて制御装置で設定すればよい。この回転数としては、例えば、風速が、８ｍ〜１６ｍ／ｓｅｃ程度となるように設定される。
【００３１】
なお、吸込部１８ｂとしてはノズル状の吸込口２２から吸引するので先端側（図１の右側）での吸引力が少し弱くなるが、その場合には、図４に示すように、吸込部１８ｂの内部を複数のパイプ１８ｄで形成して、吸込力が同等となるようにしてもよい。
【００３２】
図１に示すように、この分級筒状体３の排出側には、この分級筒状体３によって分級された重量物を排出する排出部２３が設けられている。この排出部２３は、分級筒状体３の排出側端部を囲うカバーで形成されており、回転する分級筒状体３との間はシール材２４でシールされている。この排出部２３から、分級筒状体３によって分級された重量物が下方へ排出される。
【００３３】
以上のように構成された風力分級機１によれば、筒状体５を回転させて投入シュート１３から被分級物Ｍを投入すると、この被分級物Ｍは乾燥筒状体２の内部で回転させられながら乾燥エヤーＡによって乾燥され、乾燥された被分級物Ｍは分級筒状体３側へと移送される。
【００３４】
この分級筒状体３に移送された被分級物Ｍは、この分級筒状体３の内面に設けられた掻き上げ板１６によって掻き上げられ、上部まで掻き上げられた被分級物Ｍは自重によって落下する。落下する被分級物Ｍは、衝突板１７の傾斜面１７ｂに衝突して解砕され、重量物ＭＨと軽量物ＭＬとが分離される。分離された軽量物ＭＬは、この衝突板１７の傾斜面１７ｂの下端と吸込部１８ｂとの間に設けられたスリット状の隙間２２から吸込溝１８ｃを介して吸込部１８ｂに吸込まれ、サイクロン１９、捕集器２０によって分離回収される。吸込部１８ｂに吸込まれなかった重量物は、分級筒状体３の下部へと落下する。落下した重量物は、掻き上げ板１６によって再度掻き上げられて、自重落下による解砕と軽量物の吸込みが繰り返される。すなわち、分級筒状体３の内部では、被分級物Ｍの解砕と風力分級とが繰り返される。
【００３５】
このように、分級筒状体３の回転によって掻き上げられて落下する被分級物Ｍは、落下時に衝突板１７に衝突して解砕され、軽量物は吸込管１８に吸込んで分離するので、被分級物Ｍ中から分離された軽量物ＭＬが再度重量物ＭＨや新たな被分級物Ｍに混合されることはない。すなわち、一度分離した軽量物ＭＬを再度被分級物Ｍと混合させることがないので、被分級物Ｍを効率良く分級することができる。
【００３６】
そして、このようにして可燃物等の軽量物ＭＬを分離した土や石のような不燃物等の重量物ＭＨは、例えば、道路工事等の掘削土砂であれば、埋め戻し材として利用することができ、建築廃材の被分級物Ｍのリサイクルを図ることができる。
【００３７】
図５は、本発明の第２実施の形態を示す風力分級機を縦断面した側面図であり、図６は、この風力分級機のVI−VI断面図、図７は、この風力分級機における乾燥部と分級部との他の組合わせ例を示す模式図である。この第２実施の形態では、円筒状に形成された筒状体の例を示している。なお、前記第１実施の形態における構成と同一の構成には同一符号を付し、その詳細な説明は省略する。
【００３８】
図５に示すように、この第２実施の形態における筒状体２５は、被分級物Ｍの投入側（図示する右側）から排出側（図示する左側）まで同径の円筒状に形成されている。そして、この筒状体２５の排出側を下向きにして、全体を所定の角度で傾斜配置（例えば、５度傾斜）している。これにより円筒状の筒状体２５であっても、投入側から排出側に向けて被分級物Ｍを移動させることができるようにしている。
【００３９】
この実施の形態の筒状体２５は、投入側筒状体２６と分級筒状体２７と排出側筒状体２８とが一体的に連結されたものである。この投入側筒状体２６と排出側筒状体１８との外周にはリング部８が設けられ、これらのリング部８が、架台９に設けられた支持ローラ１０によって回転自在に支持されている。この例でも、支持ローラ１０が回転駆動されて、筒状体２５が所定回転数で回転させられる。
【００４０】
投入側筒状体２６の中央部にはコンベヤ１５の先端が挿入されており、このコンベヤ１５によって被分級物Ｍが筒状体２５の内部に供給される。筒状体２５の排出側には、架台９に固定された排出シュート１３が設けられている。この排出シュート１３は、回転する筒状体２５との間にシール材２４が設けられている。
【００４１】
また、図５，６に示すように、この筒状体２５の内部には、軸方向を貫通するように支持台２９が設けられている。この支持台２９は、前記架台９に固定されている。支持台２９の片側面には、被分級物Ｍを乾燥させる乾燥エヤーＡを供給するエアー供給部３０が設けられている。この実施の形態のエヤー供給部３０は、分級筒状体３の軸方向のほぼ全長に設けられた所定径の管材３０ａと、この管材３０ａから横方向に開口する開口部３０ｂとで構成されている。この開口部３０ｂは、軸方向に連続して開口するスリット状に形成されている。この管材３０ａに乾燥エヤーＡを供給し、開口部３０ｂから横方向に噴射して被分級物Ｍを乾燥させるように構成されている。この実施の形態では、分級筒状体３の投入側が被分級物Ｍの乾燥を行う乾燥部となっているが、エヤー供給部３０は、排出側まで設けられている。
【００４２】
そして、分級筒状体３の排出側の所定範囲には、内面に被分級物Ｍを掻き上げる複数の掻き上げ板３１が軸方向に設けられている。また、この掻き上げ板３１が設けられた分級筒状体２７の軸方向には、この分級筒状体２７の内部で掻き上げられて落下する被分級物Ｍを衝突させる衝突板３２と、この衝突板３２に衝突させて解砕した被分級物Ｍ中の軽量物を吸引する吸込管３３とが設けられている。
【００４３】
図５，６に示すように、吸込管３３は、分級筒状体２７の軸方向に延びる吸込部３３ｂが支持台２９に設けられたブラケット２９ａで支持されている。この吸込部３３ｂには、サイクロン１９と捕集器２０とブロワ２１とが接続されており、ブロワ２１によって吸引されている。
【００４４】
一方、前記吸込部３３ｂには、上部の軸方向に吸込溝３３ｃが設けられている。また、吸込管３３の上部に設けられた衝突板３２は、吸込部３３ｂに固定されて垂直方向に延びる垂直面３２ａと、この垂直面３２ａの上端から所定角度で下向きに傾斜する傾斜面３２ｂとで形成されている。傾斜面３２ｂは、分級筒状体２７の回転によって掻き上げられた被分級物Ｍが落下する時に衝突する斜面で形成されている。この傾斜面３２ｂの下端と吸込部３３ｂとの間には、所定の隙間３４が設けられている。この隙間３４は、被分級物Ｍ中の軽量物を吸込溝３３ｃに吸込むことができるようなスリット状の吸込口（以下、３４を付す。）として形成される。
【００４５】
この実施の形態における衝突板３２の傾斜面３２ｂも、被分級物Ｍが衝突したときに解砕されやすい角度に設定されており、分級筒状体２７の回転数も、自重落下する被分級物Ｍが衝突板３２の傾斜面３２ｂに衝突するのに好ましい回転数に設定されている。
【００４６】
なお、この実施の形態では、筒状体２５を投入側から排出側まで同径で形成しているが、投入側において被分級物Ｍの乾燥を十分に行う必要がある場合には、図７に示すように、投入側に、投入側から排出側に向けて縮径するテーパ状の乾燥筒状体を設けて被分級物Ｍの滞留時間を長くして、乾燥部６での乾燥時間を長くすればよい。また、この実施の形態でも、分級筒状体２７を排出側に向って拡径するテーパ状とすることにより、この分級筒状体２７の軸芯を水平に近づけることもできる。
【００４７】
以上のように構成された風力分級機３５によれば、コンベヤ１５によって供給された被分級物Ｍは、分級筒状体２７の投入側で回転させられながら乾燥エヤーによって乾燥され、分級筒状体２７の排出側の掻き上げ板３１へと移動させられる。掻き上げ板３１へと移動させられた被分級物Ｍは、この掻き上げ板３１によって掻き上げられ、上部で自重によって落下する。
【００４８】
落下した被分級物Ｍは、衝突板３２の傾斜面３２ｂに衝突して解砕され、可燃物等の軽量物ＭＬは、この傾斜面３２ｂの下端と吸込管３３との間の隙間３４から吸込部３３ｂに吸込まれ、サイクロン１９や捕集器２０によって分離回収される。吸込部３３ｂに吸込まれなかった重量物ＭＨは、分級筒状体２７の下部へと落下する。落下した重量物ＭＨは、掻き上げ板３１によって再度掻き上げられて、自重落下による解砕と軽量物ＭＬの吸込みが繰り返される。このように、分級筒状体２７の内部では、被分級物Ｍの解砕と風力分級とが繰り返される。
【００４９】
この実施の形態でも、筒状体２５の回転によって掻き上げられて落下させることにより解砕された被分級物Ｍ中の軽量物ＭＬは吸込管３３から吸引して分離するので、被分級物Ｍ中から分離された軽量物ＭＬが再度重量物ＭＨに混合されることはない。すなわち、一度分離した軽量物ＭＬを再度混合させることがないので、被分級物Ｍを効率良く分級することができる。
【００５０】
他の作用効果は前述した第１実施の形態の風力分級機１と同一であるため、その詳細な説明は省略する。
【００５１】
その上、前記したいずれの実施の形態においても、筒状体５，２５の長さを長くすることにより、より分級精度、分級能力を向上させることが容易にできる。
【００５２】
なお、前記第１実施の形態では、被分級物Ｍの投入側に乾燥部６を設け、排出側に分級部７を設けてこれらを分離しているが、この第２実施の形態では、乾燥部６と分級部７とが明確に分離されていない。これら乾燥部６と分級物７とは、これらの実施の形態に限定されるものではなく、第１実施の形態と第２実施の形態とを組合わせてもよい。
【００５３】
また、筒状体５，２５を投入側から排出側に向って拡径するテーパ状とするか、同径にして軸芯を傾斜させるかは、被分級物Ｍや機械設置条件等を考慮して決定すればよい。この筒状体５，２５は、円形断面以外に多角形断面（例えば、８角形断面や１２角形断面等）であってもよい。
【００５４】
さらに、前述した実施の形態における風力分級機１，３５は、被分級物Ｍが湿潤物である場合に乾燥させることができるように構成した例を示したが、被分級物Ｍが乾燥物である場合には乾燥部を設ける必要はない。
【００５５】
また、前述した実施形態は一例を示しており、本発明の要旨を損なわない範囲での種々の変更は可能であり、本発明は前述した実施形態に限定されるものではない。
【産業上の利用可能性】
【００５６】
本発明に係る風力分級機は、建築廃材等のように、重量物と軽量物とが混合した被分級物を効率良く分級したい風力分級機に利用できる。
【図面の簡単な説明】
【００５７】
【図１】本発明の第１実施の形態を示す風力分級機を縦断面した側面図である。
【図２】図１に示す風力分級機のII−II断面図である。
【図３】図１に示す風力分級機のIII−III断面図である。
【図４】図１に示す風力分級機の吸込管の内部構造例を示す側面図である。
【図５】本発明の第２実施の形態を示す風力分級機を縦断面した側面図である。
【図６】図５に示す風力分級機のVI−VI断面図である。
【図７】図５に示す風力分級機における乾燥部と分級部との他の組合わせ例を示す模式図である。
【符号の説明】
【００５８】
１…風力分級機
２…乾燥筒状体
３…分級筒状体
５…筒状体
６…乾燥部
７…分級部
８…リング部
９…架台
１０…支持ローラ
１１…エヤー供給部
１２…シール材
１３…投入シュート
１５…コンベヤ
１６…掻き上げ板
１７…衝突板
１７ｂ…傾斜面
１８…吸込管
１９…サイクロン
２０…捕集器
２１…ブロワ
２２…隙間（吸込口）
２３…排出部
２４…シール材
２５…筒状体
２６…投入側筒状体
２７…分級筒状体
２８…排出側筒状体
２９…支持台
３０…エヤー供給部
３１…掻き上げ板
３２…衝突板
３２ｂ…傾斜面
３３…吸込管
３４…隙間（吸込口）
３５…風力分級機
Ｍ…被分級物
ＭＬ…軽量物
ＭＨ…重量物
【図１】
0004654112.tif 000002
【図２】
0004654112.tif 000003
【図３】
0004654112.tif 000004
【図４】
0004654112.tif 000005
【図５】
0004654112.tif 000006
【図６】
0004654112.tif 000007
【図７】
0004654112.tif 000008